(57)【特許請求の範囲】
【請求項１】
端末装置からコマンドを受信し、前記コマンドに応じたコマンド対応処理を実行し、前記コマンドに対する応答を制限時間内に前記端末装置に送信する電子情報記憶媒体であって、
前記コマンド対応処理の完了後、前記応答の送信前に、前記コマンド対応処理とは異なる別処理を実行し、当該別処理が前記制限時間内に完了しない場合に、当該別処理を中断する別処理実行手段を備え、
前記別処理実行手段は、前記コマンド対応処理が完了する度に、中断中の別処理があるか否かを判定し、当該中断中の別処理がある場合に当該中断中の別処理を再開して実行することを特徴とする電子情報記憶媒体。
【請求項２】
請求項１に記載の電子情報記憶媒体であって、
前記別処理は前記電子情報記憶媒体内部における異常検出処理であり、
前記異常検出処理により異常が発見された場合に、前記電子情報記憶媒体にコマンドを送信した端末装置に対して前記電子情報記憶媒体内部において異常が検出されたことを示す異常応答を送信する異常応答送信手段を更に備えることを特徴とする電子情報記憶媒体。
【請求項３】
請求項１に記載の電子情報記憶媒体であって、
前記別処理は前記電子情報記憶媒体内部における異常検出処理であり、
前記異常検出処理により異常が発見された場合に、動作を停止することを特徴とする電子情報記憶媒体。
【請求項４】
端末装置からコマンドを受信し、前記コマンドに応じたコマンド対応処理を実行し、前記コマンドに対する応答を制限時間内に前記端末装置に送信する電子情報記憶媒体による情報処理方法であって、
前記コマンド対応処理の完了後、前記応答の送信前に、前記コマンド対応処理とは異なる別処理を実行し、当該別処理が前記制限時間内に完了しない場合に、当該別処理を中断する別処理実行工程を含み、
前記別処理実行工程では、前記コマンド対応処理が完了する度に、中断中の別処理があるか否かを判定し、当該中断中の別処理がある場合に当該中断中の別処理を再開して実行することを特徴とする情報処理方法。
【請求項５】
端末装置からコマンドを受信し、前記コマンドに応じたコマンド対応処理を実行し、前記コマンドに対する応答を制限時間内に前記端末装置に送信する電子情報記憶媒体に含まれるコンピュータを、
前記コマンド対応処理の完了後、前記応答の送信前に、前記コマンド対応処理とは異なる別処理を実行し、当該別処理が前記制限時間内に完了しない場合に、当該別処理を中断する別処理実行手段、
として機能させる情報処理プログラムであって、
前記別処理実行手段は、前記コマンド対応処理が完了する度に、中断中の別処理があるか否かを判定し、当該中断中の別処理がある場合に当該中断中の別処理を再開して実行することを特徴とする情報処理プログラム。
【発明の詳細な説明】
【技術分野】
【０００１】
ＩＣチップ等の電子情報記憶媒体の技術分野に関する。
【背景技術】
【０００２】
ＩＣカードにおいては、ＩＣカード内部のハードウェアやデータが外部からの衝撃又は静電気等により破損した場合に、外部装置からのコマンドが入力されると、誤動作する可能性がある。そのため、ＩＣカードは外部装置からコマンドを受信した際に自らが正常に動作するために、自己診断を行うことが求められる。
【０００３】
そうした中、特許文献１には、外部装置からリセット信号を受信すると、第一の自己診断（ＡＴＲ送信及びコマンドの受信に必要な自己診断であり、例えば、データの送受信時に用いるバッファメモリの動作確認等のハードウェア部分に関する診断等）を行った後に外部装置へＡＴＲ（Answer To Reset）信号を送信し、次いで、コマンドを受信すると、第２の自己診断（コマンド対応処理に係る動作を正常に実行可能か否かを検査するものであり、その一例として、例えば、ＩＣチップに入力されるコマンドに応じた所定の動作を正常に実行できるか否かを検査するためのＣＰＵ、ＲＡＭ、ＲＯＭ等の基本動作確認）を行った後にコマンドに応じたコマンド対応処理を行い、次いで、コマンドに対するレスポンスを送信するＩＣカードが開示されている。
【先行技術文献】
【特許文献】
【０００４】
【特許文献１】特開２０１１−３９６５６号公報
【発明の概要】
【発明が解決しようとする課題】
【０００５】
その一方で、ＩＣカードは外部装置からリセット信号やコマンドを受信した場合、それぞれＡＴＲ信号や応答（レスポンス）を標準規格（例えば、ＩＳＯ／ＩＥＣ７８１６−３等）で定められた制限時間内に送信する必要がある。ＩＣカードがこの制限時間内に送信できない場合、外部装置はエラーが発生していると判断して後続のコマンドを送信せずに処理を終了してしまう。
【０００６】
ところが、特許文献１に記載の技術では、ＩＣカードが外部装置に対してＡＴＲ信号や応答を送信する前に自己診断を行うため、自己診断に時間がかかってしまうと制限時間内にＡＴＲ信号や応答（レスポンス）を送信することができないという問題がある。また、ＩＣカードが制限時間内に応答（レスポンス）を送信できない場合に、延長要求を外部装置に送信し、処理を継続中であることを知らせることもできるが、この場合無駄な通信コストが発生してしまう。
【０００７】
そこで、本発明は、外部装置から受信したコマンドに応じたコマンド対応処理とは異なる別処理（例えば、メモリチェック処理といったＩＣカードが正常に動作するために必要な処理等）を行うことができるとともに、別処理が制限時間内に完了しないことに伴う無駄な通信の発生を抑制することができる電子情報記憶媒体や情報処理方法等を提供することを目的とする。
【課題を解決するための手段】
【０００８】
上記課題を解決するために、請求項１に記載の発明は、端末装置からコマンドを受信し、前記コマンドに応じたコマンド対応処理を実行し、前記コマンドに対する応答を制限時間内に前記端末装置に送信する電子情報記憶媒体であって、前記コマンド対応処理の完了後、前記応答の送信前に、前記コマンド対応処理とは異なる別処理を実行し、当該別処理が前記制限時間内に完了しない場合に、当該別処理を中断する別処理実行手段を備え、前記別処理実行手段は、前記コマンド対応処理が完了する度に、中断中の別処理があるか否かを判定し、当該中断中の別処理がある場合に当該中断中の別処理を再開して実行することを特徴とする。
【０００９】
請求項１に記載の発明によれば、端末装置から受信したコマンドに応じたコマンド対応処理とは異なる別処理を行うことができるとともに、別処理が制限時間内に完了しない場合には、別処理を中断して次にコマンドを受信した際にコマンド対応処理の完了後に再開することから、別処理が制限時間内に完了しないことに伴う無駄な通信の発生を抑制することができる。
【００１０】
なお、本発明では、別処理を中断して応答（レスポンス）を送信した後、後続のコマンドを受信するまでの間に、別処理を再開して実行することは以下の理由でできない場合があるため行わない。例えば、端末装置が携帯電話機のようなバッテリーで駆動する場合、低消費電力を実現するために、上記携帯電話機に挿入されているＩＣカードと通信していない間は、当該ＩＣカードに対してクロックの供給を（一時的に）停止するようになっていることが多い。係るＩＣカードは、上記携帯電話機から供給されるクロックで動作するようになっているため、当該クロックの供給が停止すると、ＩＣカードは処理を行うことができないことによる。
【００１１】
請求項２に記載の発明は、請求項１に記載の電子情報記憶媒体であって、前記別処理は前記電子情報記憶媒体内部における異常検出処理であり、前記異常検出処理により異常が発見された場合に、前記電子情報記憶媒体にコマンドを送信した端末装置に対して前記電子情報記憶媒体内部において異常が検出されたことを示す異常応答を送信する異常応答送信手段を更に備えることを特徴とする。
【００１２】
請求項２に記載の発明によれば、コマンドを送信してきた端末装置に対して電子情報記憶媒体内部において異常が検出されたことを知らせることができる。
【００１３】
請求項３に記載の発明は、請求項１に記載の電子情報記憶媒体であって、前記別処理は前記電子情報記憶媒体内部における異常検出処理であり、前記異常検出処理により異常が発見された場合に、動作を停止することを特徴とする。
【００１４】
請求項３に記載の発明によれば、電子情報記憶媒体内部において異常が検出された場合に動作を停止することから、動作を継続することによる端末装置やユーザに対する悪影響を排除することができる。
【００１５】
請求項４に記載の発明は、端末装置からコマンドを受信し、前記コマンドに応じたコマンド対応処理を実行し、前記コマンドに対する応答を制限時間内に前記端末装置に送信する電子情報記憶媒体による情報処理方法であって、前記コマンド対応処理の完了後、前記応答の送信前に、前記コマンド対応処理とは異なる別処理を実行し、当該別処理が前記制限時間内に完了しない場合に、当該別処理を中断する別処理実行工程を含み、前記別処理実行工程では、前記コマンド対応処理が完了する度に、中断中の別処理があるか否かを判定し、当該中断中の別処理がある場合に当該中断中の別処理を再開して実行することを特徴とする。
【００１６】
請求項５に記載の発明は、端末装置からコマンドを受信し、前記コマンドに応じたコマンド対応処理を実行し、前記コマンドに対する応答を制限時間内に前記端末装置に送信する電子情報記憶媒体に含まれるコンピュータを、前記コマンド対応処理の完了後、前記応答の送信前に、前記コマンド対応処理とは異なる別処理を実行し、当該別処理が前記制限時間内に完了しない場合に、当該別処理を中断する別処理実行手段、として機能させる情報処理プログラムであって、前記別処理実行手段は、前記コマンド対応処理が完了する度に、中断中の別処理があるか否かを判定し、当該中断中の別処理がある場合に当該中断中の別処理を再開して実行することを特徴とする。
【発明の効果】
【００１７】
本発明によれば、端末装置から受信したコマンドに応じたコマンド対応処理とは異なる別処理を行うことができるとともに、別処理が制限時間内に完了しない場合には、別処理を中断して次にコマンドを受信した際にコマンド対応処理の完了後に再開することから、別処理が制限時間内に完了しないことに伴う無駄な通信の発生を抑制することができる。
【図面の簡単な説明】
【００１８】
【図１】本実施形態に係る携帯端末１の概要構成例を示すブロック図である。
【図２】本実施形態に係るＵＩＭカード１８の概要構成例を示すブロック図である。
【図３】コマンド受信時におけるＣＰＵ１８１の動作の概要を示すフローチャートである。
【発明を実施するための形態】
【００１９】
以下、図面を参照して本発明の実施形態について詳細に説明する。以下に説明する実施形態は、携帯端末に備えられたＵＩＭカードに対して本発明を適用した場合の実施の形態である。
【００２０】
まず、図１等を参照して、本実施形態に係る携帯端末１（「端末装置」の一例）の構成及び機能概要を説明する。
【００２１】
［１．携帯端末１の構成］
図１は、本実施形態に係る携帯端末１の概要構成例を示すブロック図である。図１に示すように、携帯端末１は、制御部１１、記憶部１２、無線通信部１３、表示部１４、入力部１５、ＩＣカードインターフェース１６、及びＣＬＦ１９等を備えて構成され、これらの構成要素はバス１７を介して相互に接続される。なお、携帯端末１は、例えば携帯電話機やスマートフォン、タブレット端末等である。
【００２２】
制御部１１は、ＣＰＵ（Central Processing Unit）、ＲＯＭ（Read Only Memory）、及びＲＡＭ（Random Access Memory）等により構成される。記憶部１２は、例えばフラッシュメモリ等の不揮発性メモリにより構成される。上記ＲＯＭまたは記憶部１２には、オペレーティングシステム（ＯＳ）及びミドルウェアが記憶される。また、記憶部１２には、携帯端末１にインストールされたＡＰＩ（Application Program Interface）及びアプリケーションソフトウェア（アプリケーションプログラム言語から構成されるソフトウェア）等が記憶される。ＡＰＩは、アプリケーションソフトウェアからオペレーティングシステムの機能を利用するためのインターフェースである。アプリケーションソフトウェアは、例えば所定のサーバからダウンロード可能なプログラムである。
【００２３】
無線通信部１３は、アンテナを有し、移動体通信網における基地局との間で行われる無線通信を制御する。表示部１４は、例えばタッチパネル方式の表示パネルを有し、表示パネルへの表示制御、及びユーザからの操作指示の受け付けを行う。入力部１５は、ユーザからの操作指示を入力するための操作ボタンを有し、操作ボタンに応じた信号を制御部１１に出力する。ＩＣカードインターフェース１６は、制御部１１とＵＩＭカード１８との間のインターフェース、及び制御部１１とＣＬＦ１９との間のインターフェースを担う。
【００２４】
ＵＩＭカード１８は、ＵＩＣＣ（Universal Integrated Circuit Card）の一つであり、例えば、従来のＳＩＭ（Subscriber Identity Module）をベースに機能を拡張された接触型ＩＣチップを搭載する。
【００２５】
ＣＬＦ１９は、ＮＦＣの規格で規定される非接触通信を行う非接触型ＩＣチップであり、非接触通信のフィールド内で読取装置（図示せず）との間で各種信号の送受信を行うためのアンテナに接続されている。そして、ユーザが携帯端末１を読取装置に翳すと、読取装置から送信されたコマンドを、インターフェイス（図示せず）を介してＵＩＭカードカード１８へ送信するようになっている。なお、ＣＬＦ１９は、携帯端末１のＯＳにより操作可能になっている。
【００２６】
［２．ＩＣチップＣの構成］
図２は、本実施形態に係るＵＩＭカード１８に搭載されるＩＣチップＣの概要構成例を示すブロック図である。図２に示すように、ＩＣチップＣは、ＣＰＵ１８１（「コンピュータ」の一例）、ＲＡＭ１８２、不揮発性メモリ１８３、及びＩ／Ｏ回路１８４等を備え、これらの構成要素はバス１８５を介して相互に接続される。
【００２７】
ＩＣチップＣは、外部としての携帯端末１等から入力される動作に必要な電力、信号、クロック及びコマンドに応じて、当該コマンドに対応するコマンド対応処理を実行するようになっている。
【００２８】
具体的には、携帯端末１の制御部１１の制御の下、ＩＣチップＣを活性化させるべく、ＩＣチップＣの動作に必要な電力及びリセットコマンドが、ＩＣチップＣへ送信される。
【００２９】
ここで、活性化とは、標準規格（例えば、ＩＳＯ／ＩＥＣ７８１６等）で定められているため詳しい説明は省略するが、ＩＣチップＣを使用可能な状態にするための所定の動作を示す。
【００３０】
活性化が終了すると、ＣＰＵ１８１は、携帯端末１に対して、応答の一例であるＡＴＲ（Answer To Reset）信号を出力するようになっている。
【００３１】
ＡＴＲ信号とは、公知の信号であるため詳しい説明は省略するが、構成表示キャラクタ（Ｔ０）、接続情報キャラクタ（ＴＡ(i)等）、管理情報キャラクタ、及び伝送プロトコル等を示すパラメータ等を示す情報が含まれており、最大３２バイトからなっている。換言すれば、ＡＴＲ信号は、ＩＣチップＣに対する活性化が行われた後に、ＩＣチップＣから出力される初期応答である。
【００３２】
ＡＴＲ信号が出力されると、ＩＣチップＣは動作可能な状態となる。したがって、ＩＣチップＣは、携帯端末１から入力されるコマンドに対応するコマンド対応処理（例えば、ＩＣチップＣに記憶されたデータの出力要求等）を、携帯端末１から供給されるクロックに応じて実行するようになっている。
【００３３】
不揮発性メモリ１８３は、例えばフラッシュメモリであるが、「Electrically Erasable Programmable Read-Only Memory」であってもよい。ＲＡＭ１８２には、例えばＯＳ及びミドルウェアが機能するうえで一時的に必要となるデータが記憶される。不揮発性メモリ１８３には、例えばＯＳ及びミドルウェアが記憶される。
【００３４】
Ｉ／Ｏ回路１８４は、ＩＳＯ７８１６等によって定められた、Ｃ１〜Ｃ８の８個の接続端子を有する。例えば、Ｃ１端子は電源端子、Ｃ２端子はリセット端子、Ｃ３端子はクロック端子、Ｃ５端子はグランド端子、Ｃ７端子は携帯端末１とのデータ通信を行う端子である。
【００３５】
そして、ＣＰＵ１８１は、ＣＬＦ１９からコマンドを受信すると、当該コマンドに応じたコマンド対応処理を実行し、ＣＬＦ１９に対して応答する（具体的には、コマンド対応処理の結果を示すデータをＣＬＦ１９へ送信する）。また、ＣＰＵ１８１は、制御部１１からコマンドを受信すると、当該コマンドに応じたコマンド対応処理を実行し、制御部１１に対して応答する（具体的には、コマンド対応処理の結果を示すデータを制御部１１へ送信する）。
【００３６】
また、ＣＰＵ１８１は、コマンド対応処理の完了後、応答の送信前に、コマンド対応処理とは異なる処理であるメモリチェック処理（「別処理」の一例）を実行し、メモリチェック処理が規格で定められた制限時間内に完了しない場合に、メモリチェック処理を中断する。そして、ＣＰＵ１８１は、コマンド対応処理が完了する度に、中断中のメモリチェック処理があるか否かを判定し、中断中のメモリチェック処理がある場合に中断中のメモリチェック処理を再開して実行する。メモリチェック処理では、例えば、メモリに値を書き込み、書き込んだ値が読み取れるかといったチェックを行う。なお、ＣＰＵ１８１は、メモリチェック処理（「異常検出処理」の一例）により異常が発見された場合に、携帯端末１（「電子情報記憶媒体にコマンドを送信した端末装置」の一例）に対してＩＣチップＣ内部において異常が検出されたことを示す異常応答を送信することとする。また、ＣＰＵ１８１はメモリチェック処理により異常が発見された場合に、ＩＣチップＣ（或いはＣＰＵ１８１）の動作を停止させることとしてもよい。
【００３７】
［３．ＣＰＵ１８１の動作例］
以下、上述した動作を、図３のフローチャートを用いて詳細に説明する。
【００３８】
まず、ＣＰＵ１８１は、携帯端末１からコマンドを受信する（ステップＳ１０１）。
【００３９】
次に、ＣＰＵ１８１は、ステップＳ１０１の処理で受信したコマンドに対応するコマンド対応処理を開始する（ステップＳ１０２）。
【００４０】
次に、ＣＰＵ１８１は、コマンド対応処理が完了したか否かを判定する（ステップＳ１０３）。このとき、ＣＰＵ１８１は、コマンド対応処理が完了していないと判定した場合には（ステップＳ１０３：ＮＯ）、次いで、制限時間まで時間があるか否かを判定する（ステップＳ１０４）。
【００４１】
ＣＰＵ１８１は、制限時間まで時間があると判定した場合には（ステップＳ１０４：ＹＥＳ）、ステップＳ１０３の処理に移行する。
【００４２】
一方、ＣＰＵ１８１は、制限時間まで時間がないと判定した場合には（ステップＳ１０４：ＮＯ）、コマンド対応処理を中断して（ステップＳ１０５）、延長（ＷＴＸ（Waiting Time eXtension：待ち時間の延長））要求を携帯端末１に送信する（ステップＳ１０６）。そして、ＣＰＵ１８１は、携帯端末１から延長要求に対する応答を受信すると（ステップＳ１０７）、ステップＳ１０５の処理で中断したコマンド対応処理を再開し（ステップＳ１０８）、ステップＳ１０３の処理に移行する。なお、本実施形態では、例えば、Ｔ＝１プロトコル（接触）による通信の場合や、非接触による通信の場合を想定して、ＩＣチップＣから携帯端末１に延長要求を送信し、それに対する応答を受信するという双方向通信により延長手続を行うこととして説明したが、例えば、Ｔ＝０プロトコル（接触）による通信の場合を想定して、ＩＣチップＣから携帯端末１にＮＵＬＬバイト（１６進数の「６０」）を送信するという単方向通信により延長手続を行うこととしてもよい。
【００４３】
他方、ＣＰＵ１８１は、ステップＳ１０３の処理で、コマンド対応処理が終了したと判定した場合には（ステップＳ１０３：ＹＥＳ）、次いで、メモリチェック処理が中断中であるか否かを判定する（ステップＳ１０９）。このとき、ＣＰＵ１８１は、メモリチェック処理が中断中ではないと判定した場合に（ステップＳ１０９：ＮＯ）、メモリチェック処理を開始する（ステップＳ１１０）。一方、メモリチェック処理が中断中であると判定した場合に（ステップＳ１０９：ＹＥＳ）、メモリチェック処理を再開する（ステップＳ１１１）。なお、メモリチェック処理が中断中である場合とは、前回のコマンド受信時にコマンド対応処理の実行後に実行したメモリチェック処理をステップＳ１１４の処理で中断した場合に該当する。
【００４４】
次に、ＣＰＵ１８１は、メモリチェック処理が完了したか否かを判定する（ステップＳ１１２）。このとき、ＣＰＵ１８１は、メモリチェック処理が完了したと判定した場合には（ステップＳ１１２：ＹＥＳ）、ステップＳ１１５の処理に移行する。一方、ＣＰＵ１８１は、メモリチェック処理が完了していないと判定した場合には（ステップＳ１１２：ＮＯ）、次いで、制限時間まで時間があるか否かを判定する（ステップＳ１１３）。
【００４５】
ＣＰＵ１８１は、制限時間まで時間があると判定した場合には（ステップＳ１１３：ＹＥＳ）、ステップＳ１１２の処理に移行する。
【００４６】
一方、ＣＰＵ１８１は、制限時間まで時間がないと判定した場合には（ステップＳ１１３：ＮＯ）、メモリチェック処理を中断して（ステップＳ１１４）、応答を携帯端末１に送信する（ステップＳ１１５）。
【００４７】
以上説明したように、本実施形態におけるＩＣチップＣ（「電子情報記憶媒体」の一例）は、携帯端末１（「端末装置の一例）からコマンドを受信し、コマンドに応じたコマンド対応処理を実行し、コマンドに対する応答を制限時間内に携帯端末１に送信する。そして、ＣＰＵ１８１（「別処理実行手段」の一例）は、コマンド対応処理の完了後、応答の送信前に、コマンド対応処理とは異なるメモリチェック処理（「別処理」の一例）を実行し、メモリチェック処理が制限時間内に完了しない場合に、メモリチェック処理を中断する。また、ＣＰＵ１８１は、コマンド対応処理が完了する度に、中断中のメモリチェック処理があるか否かを判定し、中断中のメモリチェック処理がある場合に中断中のメモリチェック処理を再開して実行する。
【００４８】
したがって、本実施形態のＩＣチップＣによれば、携帯端末１ら受信したコマンドに応じたコマンド対応処理とは異なるメモリチェック処理を行うことができるとともに、メモリチェック処理が制限時間内に完了しない場合には、メモリチェック処理を中断して次にコマンドを受信した際にコマンド対応処理の完了後に再開することから、メモリチェック処理が制限時間内に完了しないことに伴う無駄な通信の発生を抑制することができる。
【００４９】
なお、ＣＰＵ１８１（「異常応答送信手段」の一例）は、メモリチェック処理（「異常検出処理」の一例）により異常が発見された場合に、携帯端末１（「電子情報記憶媒体にコマンドを送信した端末装置」の一例）に対してＩＣチップＣ内部において異常が検出されたことを示す異常応答を送信することとする。これにより、コマンドを送信してきた携帯端末１に対してＩＣチップＣ内部において異常が検出されたことを知らせることができる。異常応答の送信タイミングは、例えば、リセット信号に対するＡＴＲ信号を送信するタイミング（ＡＴＲ信号とともに送信する）、コマンドに対する応答を送信するタイミング（応答とともに送信する）とすることができる。
【００５０】
［４．変形例］
次に、上記実施形態の変形例について説明する。なお、以下に説明する変形例は適宜組み合わせることができる。
【００５１】
［４．１．変形例１］
上記実施形態では、コマンドを受信し、コマンドに応じたコマンド対応処理を実行した後であって、応答を送信する前の制限時間内にメモリチェック処理を実行することとしたが、リセット信号を受信した際にメモリチェック処理を実行することとしてもよい。例えば、リセット信号を受信し、リセット信号に応じた処理を実行した後であって、ＡＴＲ信号を送信する前の制限時間内にメモリチェック処理を実行することとしてもよい。この場合、メモリチェック処理で異常が検出された場合、ＡＴＲ信号とともに異常応答を送信することとしてもよい。
【００５２】
［４．２．変形例２］
上記実施形態では、コマンド対応処理と異なる別処理がメモリチェック処理である場合について説明したが、別処理はコマンド対応処理に係る動作を正常に実行可能か否かを検査する処理、例えば、ＩＣチップに入力されるコマンドに応じた所定の動作を正常に実行できるか否かを検査するためのＣＰＵ、ＲＡＭ、ＲＯＭ等の検査処理であってもよい。
【符号の説明】
【００５３】
１  携帯端末
１１  制御部
１２  記憶部
１３  無線通信部
１４  表示部
１５  入力部
１６  ＩＣカードインターフェース
１７  バス
１８  ＵＩＭカード
Ｃ  ＩＣチップ
１８１  ＣＰＵ
１８２  ＲＡＭ
１８３  不揮発性メモリ
１８４  Ｉ／Ｏ回路
１８５  バス
１９  ＣＬＦ
【図１】
0006686725.tif 000002
【図２】
0006686725.tif 000003
【図３】
0006686725.tif 000004